(57)【要約】【課題】  大雨等で用水路を流れる水の勢いが増した時でも水田に過剰に水が引き込まれることを防止することができる水位自動調節装置を提供する。【解決手段】  この水位自動調節装置１は、開閉弁３が、給水方向とは逆方向に開く構成となっており、水田２００の水位が下がって第３伝達部７３に押されるとき以外は、開閉弁３が管部１１の段差βに当接して、導水管１０１を固く閉じるので、導水管１０１に流れ込む水の勢いが増したときでも開閉弁３が開いて水が水田２００に引き込まれることを防止できる。また、この水位自動調節装置１は、第３伝達部７３が水田２００の水位に合わせて下降するフロート５の動きをテコの原理により開閉弁３に伝えて開閉弁３を押して導水管１０１を開いているので、フロート５が軽くても開閉弁３を給水方向と逆方向に押して導水管１０１を開き、用水路３００から水田２００に水を引き込むことができる。【選択図】 図５
2010178712.tif 000002
【特許請求の範囲】
【請求項１】
用水路から水田に水を引き込む導水路を開閉して、水田の水位を自動的に調節する水位自動調節装置において、
前記導水路に取り付けられ、前記導水路を閉じる位置から水田に水を引き込む給水方向と逆方向に動いて前記導水路を開く開閉弁３と、
フロート５と、
水田の水位に合わせて下降するフロートの動きをテコの原理により前記開閉弁に伝え、前記開閉弁を押して前記導水路を開く伝達手段７と
を備えることを特徴とする水位自動調節装置。
【請求項２】
請求項１に記載の水位自動調節装置において、
前記フロートは、
当該フロートの動きを前記伝達手段を介して前記開閉弁に伝えたときに、予め想定される水勢で前記導水路を流れる水に抗して前記開閉弁を開くことが可能な重量であり、かつ、水の比重よりも小さいものであることを特徴とする水位自動調節装置。
【請求項３】
請求項１，２のいずれかに記載の水位自動調節装置において、
前記開閉弁は、
一端を支点に遊端を前記給水方向とは逆方向側に移動させて前記導水路１１，１０１を開閉する弁であることを特徴とする水位自動調節装置。
【請求項４】
請求項３に記載の水位自動調節装置において、
前記開閉弁は、
前記支点と前記遊端との間にヒンジ部３１を有し、
該ヒンジ部は、
当該ヒンジ部よりも遊端側を前記ヒンジ部よりも支点側に対し前記給水方向とは逆方向側に折るものであり、
前記伝達手段は、
前記開閉弁の前記ヒンジ部よりも遊端側を押して、前記開閉弁を開くことを特徴とする水位自動調節装置。
【請求項５】
請求項１〜４のいずれかに記載の水位自動調節装置において、
前記伝達手段は、
水田の水に浮かんでいる前記フロートから重力方向の上方向に延設された第１伝達手段７１と、
この第１伝達手段に取り付けられ、前記第１伝達手段との接続点から重力方向の下方向に向かって少なくとも延設された第２伝達手段７２と、
前記第２伝達手段が前記第１伝達手段と接続される接続点より下方で、一端が前記第２伝達手段に接続され、この一端が押し下げられると、他端が前記開閉弁をテコの原理により押す第３伝達手段７３と
を備えることを特徴とする水位自動調節装置。
【請求項６】
請求項５記載の水位自動調節装置において、
前記接続点を、前記第１伝達手段の長手方向に沿って移動可能に構成されていることを特徴とする水位自動調節装置。
【請求項７】
請求項１〜６の何れかに記載の水位自動調節装置において、
前記導水路を構成し、前記用水路と前記水田との間の土中に埋設された導水管に対し水田の側から取り付けられる筐体１０と、
この筐体を構成し、前記導水管に取り付けたときに前記導水管と連通して前記導水路を構成する管部に前記開閉弁が備えられ、
前記筐体の前記開閉弁を操作可能な位置に前記伝達手段が揺動可能に取り付けられていることを特徴とする水位自動調節装置。
【発明の詳細な説明】
【技術分野】
【０００１】
本発明は、水田の水位自動調節装置に関する。
【背景技術】
【０００２】
従来より、水田には、用水路から水田に水を引き込む導水路を開閉して水田の水位を調整する水位自動調節装置が、設置されている。図７は、この水位自動調節装置の一例である。
【０００３】
この水位自動調節装置１００が用いられる水田２００と用水路３００とを隔てる畦２５０の土中には、用水路３００から水田２００に水を引き込む導水管１０１が設けられている。また、水田２００内には、この導水管１０１からさらに水田２００内に水を引き込む延長管１０２が設置されている。そしてこの延長管１０２は、その出水口１０２ａが、予め水田の水位として設定された部分ＷＬよりも上方の位置で上方を向いて開口するように水田２００内に設置されている。
【０００４】
一方、水位自動調節装置１００は、フロート１１０と、上述した延長管１０２の出水口１０２ａを開閉する開閉弁１２０とを備えている。また、この水位自動調節装置１００は、フロート１１０が下がると開閉弁１２０を持ち上げて出水口１０２ａを開き、フロート１１０が上がると開閉弁１２０を下げて出水口１０２ａを閉じるよう、フロート１１０の動作を開閉弁１２０に伝達する伝達機構１３０を備えている。
【０００５】
この水位自動調節装置１００では、フロート１１０が下がると開閉弁１２０を持ち上げられて出水口１０２ａを開くので、水田の水位が下がって水田の水に浮かんだフロート１１０が下がると出水口１０２ａが開き、用水路３００から水田２００に水が自動的に供給される。一方、この水位自動調節装置１００では、フロートが上がると開閉弁１２０が下がって出水口１０２ａを閉じるので、水田の水位が上がってフロートが上がると出水口１０２ａが閉じ、水田２００への水の供給が自動的に停止される。
【０００６】
従って、この水位自動調節装置１００を用いると、水田２００の水位を自動的に一定に調節することができる。
【先行技術文献】
【特許文献】
【０００７】
【特許文献１】実開平３−５７３２号公報
【発明の概要】
【発明が解決しようとする課題】
【０００８】
しかし、従来の水位自動調節装置１００は、給水方向と同じ方向に開閉弁１２０を持ち上げて出水口１０２ａを開く構造である。
【０００９】
そのため、大雨などで用水路を流れる水の勢いが増すと、導水管１０１に流れ込む水の勢いも増して、開閉弁１２０が持ち上げられて出水口１０２ａが勝手に開き、水田２００に必要以上の水が供給されてしまうという問題があった。
【００１０】
この問題を解決するため、開閉弁を給水方向とは逆方向に動かして出水口１０２ａを開く構造にすることも考えられる。
【００１１】
しかし、このためには給水される水の流れに逆らって開閉弁を動かす必要があり、フロート１１０が水田の水位にあわせて上下する程度の力では、このようなことは困難であった。
【００１２】
そのため、従来の水位自動調節装置１００では、大雨などのときに水田２００に過剰に水が引き込まれることを防止することが難しいという問題があった。
【００１３】
本発明は、こうした問題に鑑みなされたもので、大雨等で用水路を流れる水の勢いが増した時でも水田に過剰に水が引き込まれることを防止することができる水位自動調節装置を提供することを目的とする。
【課題を解決するための手段】
【００１４】
かかる問題を解決するためになされた請求項１に記載の発明は、
用水路から水田に水を引き込む導水路を開閉して、水田の水位を自動的に調節する水位自動調節装置において、前記導水路に取り付けられ、前記導水路を閉じる位置から水田に水を引き込む給水方向と逆方向に動いて前記導水路を開く開閉弁と、フロートと、水田の水位に合わせて下降するフロートの動きをテコの原理により前記開閉弁に伝え、前記開閉弁を押して前記導水路を開く伝達手段とを備えることを特徴とする。
【００１５】
この水位自動調節装置では、開閉弁が、給水方向とは逆方向に開く構成となっており、水田の水位が下がって伝達手段に押されるとき以外は導水路を閉じるているので、大雨等で用水路を流れる水の勢いが増して、導水路に流れ込む水の勢いが増したときでも開閉弁が開いて水が水田に引き込まれることがない。
【００１６】
一方、この水位自動調節装置では、水田の水位が下がりフロートが下がったとき、伝達手段がこのフロートの動きをテコの原理により開閉弁に伝えているので、フロートが軽くても開閉弁を給水方向と逆方向に押して導水路を開くことができる。そのため、この水位自動調節装置では、水田の水位が下がれば用水路から水田に自動的に水が引き込まれる。
【００１７】
従って、本発明の水位自動調節装置を用いると、大雨等で用水路を流れる水の勢いが増した時でも水田に過剰に水が引き込まれることを防止でき、一方で、水田の水位が下がったときには、用水路から水田に自動的に水を引き込むことができる。
【００１８】
次に、請求項２に記載したように、フロートは、フロートの動きを伝達手段を介して開閉弁に伝えたときに、予め想定される水勢で導水路を流れる水に抗して開閉弁を開くことが可能な重量であり、かつ、水の比重よりも小さいものとすることが好ましい。
【００１９】
このように、フロートを、導水路を流れる水勢に合わせた適正な重量とすることで、水田に水を引き込むことが必要な場合、その適正な重量で開閉弁を開けて、用水路から水田に自動的に水を引き込むことができる。
【００２０】
次に、請求項３に記載したように、開閉弁としては、一端を支点に遊端を給水方向とは逆方向側に移動させて導水路を開閉する弁を用いることが好ましい。用水路は水草や土など様々な不純物が混じり、これらが導水路を開閉弁が閉じることを妨害することが想定される。しかし、この請求項３に記載された発明のように単純な構造の開閉弁であれば、このような不純物を取り除く作業などを行う際に、メンテナンスが容易であるというメリットがある。
【００２１】
ところで、請求項３に記載された構造の開閉弁を用いると、開閉弁を開いたとき、開閉弁が水の勢いによって揺れ、導水路を頻繁に開閉する問題や、開閉弁を支持する部分に負荷がかかって機械的な疲労を起こす可能性があるという問題がある。
【００２２】
この問題に対応するため、請求項４に記載された発明では、開閉弁を、支点と遊端との間にヒンジ部を有する構造とし、ヒンジ部としては、このヒンジ部よりも遊端側を、ヒンジ部よりも支点側に対し給水方向とは逆方向側に折る構造のものとする。そして、伝達手段は、開閉弁のヒンジ部よりも遊端側を押して、開閉弁を開くようにするとよい。
【００２３】
このように構成された開閉弁を伝達手段を用いて開くと、開閉弁が導水路を流れる水の勢いによって揺れることが防止され、この揺れによって開閉弁が導水路を頻繁に開閉したり、機械的な疲労を起こすことを防止できる。
【００２４】
次に、請求項５に記載したように、水位自動調節装置を構成する伝達手段は、どのような構成としてもよいが、例えば、水田の水に浮かんでいる前記フロートから重力方向の上方向に延設された第１伝達手段と、この第１伝達手段に取り付けられ、前記第１伝達手段との接続点から重力方向の下方向に向かって少なくとも延設された第２伝達手段と、前記第２伝達手段が前記第１伝達手段と接続される接続点より下方で、一端が前記第２伝達手段に接続され、この一端が押し下げられると、他端が前記開閉弁をテコの原理により押す第３伝達手段とを備える構成としてもよい。
【００２５】
ところで、水田の保つべき水位は、季節や作物の生育状態などによって変化することがある。そのため、その保つべき水位に合わせてフロートの位置も変える必要がある。
【００２６】
そこで、請求項６に示すように、接続点を、第１伝達手段の長手方向に沿って移動可能に構成してもよい。
【００２７】
このようにすると、フロートの位置を水田の保つべき水位に合わせる際、第１伝達手段の第２伝達手段に対する位置を調整するだけで、フロートの位置を水田の保つべき水位に合わせて調整することができる。
【００２８】
また、このようにすると、第１伝達手段と第２伝達手段との接続点は、その構成上フロートの上方に位置するので、導水路が埋設された畦などから、第１伝達手段の第２伝達手段に対する位置を調整することができる。
【００２９】
次に、請求項７に記載したように、水位自動調節装置は、導水路を構成し、用水路と水田との間の土中に埋設された導水管に対し水田の側から取り付けられる筐体を備え、導水管に取り付けたときに導水管と連通して導水路を構成するとともに筐体を構成する管部に、開閉弁が取り付けられ、筐体の開閉弁を操作可能な位置に伝達手段が揺動可能に取り付けられ、フロートが上下動可能に取り付けられている構成としてもよい。
【００３０】
このようにすると、導水管が埋設された畦の部分にこの水位自動調節装置を取り付けるだけで、水田の水位を適正な水位に保つことができる。
【００３１】
因みに、特許請求の範囲において、各手段に記した符号は、後述する実施形態に記載の具体的手段等との対応関係を示す一例であり、本発明は上記各手段に記した符号に示された具体的手段等に限定されるものではない。
【図面の簡単な説明】
【００３２】
【図１】本実施形態の水位自動調節装置の正面図である。
【図２】（ａ）筐体及びフロートを図１のＡ−Ａ’断面で示した側面図で、開閉弁が閉じた様子を示している。Ａ−Ａ’断面は、開閉弁の中心軸を通る断面である。（ｂ）図１のＣ−Ｃ’断面図である。
【図３】図１のＢ−Ｂ’断面図である。
【図４】筐体及びフロートを図１のＡ−Ａ’断面で示した側面図で、開閉弁が開いた様子を示している。
【図５】本実施形態の水位自動調節装置を、畦に埋め込まれた導水管に水田の側から取り付ける様子を説明するための説明図で、水位自動調節装置については図２に倣った側面図で示し、畦や導水管等については、これらの配置を模式図で示している。
【図６】本実施形態の水位自動調節装置で水田の水位を調節する様子を説明する図５に倣った説明図で、（ａ）は開閉弁が閉じ、水田に水が供給されていない様子を示し、（ｂ）は開閉弁が少し開き、水田の水位も少し下がっている様子を示し、（ｃ）は開閉弁が大きく開き、水田の水位も大きく下がっている様子を示している。
【図７】従来の水位自動調節装置の説明図で、この水位自動調節装置を水田内に設置した様子を側面から見た模式図である。
【発明を実施するための形態】
【００３３】
以下に、本願発明が適用された実施形態について、上述した図面を用いて説明する。
[  １  水位自動調節装置１の構成  ]
本実施形態の水位自動調節装置１は、図１に示すように、箱形の筐体１０を備えている。そして、この筐体１０に、開閉弁３と、フロート５と、伝達部７とが組み付けられている。
（筐体１０）
筐体１０は、上下方向（重力方向に沿った方向で、図１の紙面に沿った方向のうち図中で示した上下方向に沿った方向）に沿って長尺であり、かつ、前後方向（水平面に沿った方向のうち、図１の紙面に対し垂直な方向）よりも左右方向（水平面に沿った方向で、図１の紙面に沿った方向のうちの図中で示した左右方向に沿った方向）に幅広に形成された箱状の筐体で、前面は開放されている。
【００３４】
また、この筐体１０の背面１０ａには、図２（ａ）に示すように、この背面１０ａのうち、筐体１０の上下方向の中間位置より上側の部分から、後方側に向かって突設した管部１１が形成されている。
【００３５】
この管部１１は、用水路と水田との間に形成された畦等の土中に埋設された後述する導水管１０１（図５参照）の水田側の先端を嵌合可能な略筒状に形成されている。具体的には、この管部１１のうち、前後方向の中央位置より後方側をその前方側よりも薄い肉厚で構成することで管部１１の内部に段差αを作り、導水管１０１の先端が段差αに突き当たるように、管部１１の肉厚が薄くなった部分に導水管１０１を挿入することで、導水管１０１を管部１１に嵌合する形状に形成されている。尚、以下では、この管部１１のうち導水管１０１を嵌合するために肉厚が薄くなった部分を嵌合部１１ａとよぶ。
【００３６】
また、この嵌合部１１ａを除く管部１１の前方側の肉厚な部分は、前方側が、後方側よりも特に肉厚に形成されている。この管部１１の肉厚な部分のうち、前方側の特に肉厚な部分をストッパー部１１ｂ、このストッパー部１１ｂと、嵌合部１１ａとの間の部分を開閉弁可動部１１ｃと以下呼ぶ。
【００３７】
次に、この筐体１０の左右両側の側面１０ｂ、１０ｃの内側には、図３に示すように、フロート５を上下方向に沿って案内する案内レール１２，１２が設けられている。
【００３８】
この案内レール１２，１２は、各側面１０ｂ、１０ｃの前方側の端部から対向する各側面１０ｂ、１０ｃ側に向かって突設され、各側面１０ｂ，１０ｃの前方側の端辺に沿って長尺に形成されている（図１，図２（ａ）参照）。
【００３９】
この案内レール１２，１２は、水平断面で見てコ字状に形成され、このコの字のくぼみ部分を形成する案内溝１２ａ，１２ａが対向する案内レール１２，１２側を向くようにされている。
【００４０】
次に、この筐体１０の上部側面１０ｄの下面には、図２（ａ）に示すように、伝達部７を筐体１０に組み付けるための組付具１３が取り付けられている。
【００４１】
この組付具１３は、筐体１０内に配置された第１取付部１３ａを備えている。
【００４２】
この第１取付部１３ａは、上下方向及び前後方向に沿った平面状に形成される（図１参照）とともに、略台形状に形成されている。そして、この第１取付部１３ａは、台形の下底に相当する部分が、管部１１の前方に位置するように配置される。具体的には、図１に示すように、第１取付部１３ａの下底が、ストッパー部１１ｂの半径の３等分点のうち中心軸に近い点が中心軸を中心に描く円上であって、右斜め上の部分に位置するように配置される。
【００４３】
また、この取付部１３は、図２（ａ）に示すように、上部側面１０ｄの前方側の端部から上方に向かい、その上端から更に前方に向かって突出した第２取付部１３ｂを備えている。この第２取付部１３ｂは、第１伝達棒部７１を挿通可能な挿通孔１３ｃと、図２（ｂ）に示すように、第２伝達棒部７２を挿通可能な挿通孔が１３ｄが形成されている。
【００４４】
このうち、挿通孔１３ｄは、後述するように、第３伝達部７３が第１取付部１３ａの下端を支点に揺動し、第２伝達棒部７２は、この揺動する第３伝達部７３が揺動する動作に合わせて揺動するので、挿通孔１３ｄは、第２伝達棒部７２がこのように揺動することが可能な大きさに形成されている。
（開閉弁３）
開閉弁３は、上述の筐体１０の管部１１に設置されている。
【００４５】
この開閉弁３は、ストッパー部１１ｂを構成する部分の管部１１の内径より大きく、開閉弁可動部１１ｃを構成する部分の管部１１よりも小さい径で形成された円形の弁（図１参照）である。
【００４６】
この開閉弁３は、管部１１と同軸状に管部１１内に配置されるとともに、ストッパー部１１ｂと開閉弁可動部１１ｃとで形成される段差βに、この開閉弁３の前方側の面の端部が接するように配置される。そして、このように開閉弁３を配置することで、管部１１は閉じられる。
【００４７】
開閉弁３は、後方側の面に、左右方向に沿って長尺な溝であって、前後方向及び上下方向に沿った断面が三角形状のヒンジ部３０、３１が形成されている。
【００４８】
このうち、ヒンジ部３０は、開閉弁３の円中心から上方に向かって、開閉弁３の半径の半分ほどの距離の位置に形成され、ヒンジ部３１は、開閉弁３の円中心から下方に向かって、開閉弁３の半径の半分ほどの距離の位置に形成されている。
【００４９】
そして、開閉弁３は、ヒンジ部３０よりも上方の部分が管部１１の段差βに固定されている。
【００５０】
上述した開閉弁３は、図４に示すように、第３伝達部７３を用いて、開閉弁３のヒンジ部３１より下方側を後方側に向かって押すと、ヒンジ部３０及びヒンジ部３１で開閉弁３が折り曲げられ、管部１１が開く。一方、この開閉弁３を押すことを止めると、開閉弁３の端部がストッパー部１１ｂと開閉弁可動部１１ｃとの段差βに当接して、管部１１を閉じる。
（フロート５）
このフロート５は、図３に示すように、平面図で見て略正方形状に形成されており、図１及び図２（ａ）に示すように、上下方向に厚みを有するものである。
【００５１】
このフロート５は、図３に示すように、前後方向でみて、後方側の約２／５ほどが筐体１０内に配置されるように、筐体１０に組み付けられている。
【００５２】
また、このフロート５は、前後方向及び上下方向に沿った側面のうち、筐体１０に組み付けられたとき各案内レール１２，１２が対向する位置に、これら案内レール１２，１２を回避するための窪みである回避部５０，５０が形成されている。
【００５３】
そしてこの回避部５０，５０には、フロート５を筐体１０に組み付けたときに案内溝１２ａ，１２ａに挿入した状態で配置される案内突起５１，５１が形成されている。
【００５４】
この案内突起５１，５１が案内レール１２，１２の案内溝１２ａ，１２ａに案内されることで、本実施形態では、フロート５を上下方向にスムーズに案内することができる。
【００５５】
また、このフロート５は、本実施形態の水位自動調節装置１が取り付けられる後述する導水管１０１（図５参照）を流れる水の予め想定される水勢に抗して、フロート５の動きを伝達部７を介して開閉弁３伝え、開閉弁３を開くことが可能な重量であり、かつ、水の比重よりも小さいものに調整されている。
（伝達部７（本発明の伝達手段に相当））
伝達部７は、第１伝達棒部７１、第２伝達棒部７２、第３伝達部７３で構成されている。
【００５６】
第３伝達部７３は、図２（ａ）に示すように、略二等辺三角形状の平板状に形成され、底辺の一端に相当する部分７３ａ（以下「支点７３ａ」という）が、第１取付部１３ａの下端に取り付けられて、この第１取付部１３ａを支点に揺動可能に取り付けられている。
【００５７】
また、この第３伝達部７３は、三角形の底辺の他端に相当する部分７３ｂ（以下「先端７３ｂ」という）が、開閉弁３のヒンジ部３１よりも下方側を後方に向かって押すことが可能な位置に配置され、そして、二等辺三角形の頂点に相当する部分７３ｃ（以下「作用点７３ｃ」という）が、第１伝達棒部７１と左右方向に横並びになる位置に配置されている。
【００５８】
また、この第３伝達部７３は、二等辺三角形の底辺に相当する部分７３ｄ（以下「弓形部７３ｄ」という）が、前方側に向かって凹んだ略弓なり形状に形成されている。
【００５９】
第１伝達棒部７１は、フロート５の上面の中心位置（図３参照）から重力方向の上方向に向かって延設され、第２取付部１３ｂに設けられた挿通孔１３ｃを通って、第２取付部１３ｂの上方まで延設されている。
【００６０】
この第１伝達棒部７１は、前後方向に並べられた２本の棒部７１ａ，７１ｂで形成され、これら棒部７１ａ，７１ｂは、留具７５（図１参照）の軸の径と略同じ幅だけ空けて配置されている。
【００６１】
第２伝達棒部７２は、一端が第２取付部１３ｂの上方で留具７５（図１参照）を用いて第１伝達棒部７１に接続され、この第１伝達棒部７１への接続点から下方に向かって延設され、第２取付部１３ｂに設けられた挿通孔１３ｄ（図２（ｂ）参照）を通って第２取付部１３ｂの下方に抜け、他端が上部側面１０ｄの前方に位置する位置まで延設されている。
【００６２】
そして、この第２伝達棒部７２の他端には、第３伝達部７３の作用点７３ｃが接続されている。
【００６３】
このように構成された伝達部７では、水田の設定水位に合わせてフロート５を持ち上げ、留具７５で第１伝達棒部７１を第２伝達棒部７２を留めれば、この第２伝達棒部７２との接続点に対するフロート５の高さを自由に変更することができる。
【００６４】
尚、留具７５は、第２伝達棒部７２を第１伝達棒部７１に対し揺動可能に留めるネジであるが、公知なものであるので、その詳細な説明については省略する。
[  ２  水位自動調節装置１の設置  ]
上述のように構成された水位自動調節装置１は、図５に示すように、水田２００に設置される。
【００６５】
具体的には、この水位自動調節装置１は、水田２００を区画する畦２５０の水田２００側の壁面２５０ａに、水位自動調節装置１の筐体１０の背面１０ａが接するように配置される。
【００６６】
また、水位自動調節装置１の管部１１に、畦２５０中に埋設され、用水路３００から水田２００に水を引き込むための導水管１０１の先端を嵌合する。このようにすることで、用水路３００から水田２００に水を引き込む導水路（１１、１０１）が形成される。
【００６７】
また、フロート５を水田２００に予め設定された満水位で浮いたときの高さになるように、フロート５を持ち上げ、留具７５（図１参照）で第１伝達棒部７１と第２伝達棒部７２とを留める。
[  ３  水位自動調節装置１の動作  ]
上述のように設置された水位自動調節装置１は下記のように動作する。
【００６８】
水位自動調節装置１は、図６（ａ）に示すように、水田２００の水位が満水位のときは、フロート５が上昇して第３伝達部７３の先端７３ｂが開閉弁３を押して開閉弁３を開かないように作用点７３ｃを引き上げているので、用水路３００から水田２００に水が供給されることはない。
【００６９】
次に、水位自動調節装置１は、図６（ｂ）に示すように、水田２００の水が満水位より少し減ったときは、フロート５が満水時のときに比べ下方に下がり、フロート５の重量が第１伝達棒部７１、第２伝達棒部７２を介して第３伝達部７３に伝わり、第３伝達部７３の作用点７３ｃが押し下げられる。すると、第３伝達部７３が、支点７３ａを中心に回動し、作用点７３ｃに加えられた力をテコの原理により第３伝達部７３の先端７３ｂに伝え、この先端７３ｂが、用水路３００から導水路（１１，１０１）に流れ込む水の勢いに抗して開閉弁３を押して導水路（１１，１０１）を小さく開くので、用水路３００から水田２００に水が少しずつ引き込まれる。そして、図６（ａ）に示すように、水田の水が満水になると、フロート５が上がって、第３伝達部７３の作用点７３ｃを引き上げるので開閉弁３が閉まり、水田２００への水の供給が停止される。
【００７０】
次に、水位自動調節装置１は、図６（ｃ）に示すように、水田２００の水位が満水位より大きく減ったときは、フロート５が満水時のときに比べ下方に大きく下がり、フロート５の重量が第１伝達棒部７１、第２伝達棒部７２を介して第３伝達部７３に伝わり、第３伝達部７３の作用点７３ｃが図６（ｂ）の場合に比べて大きく押し下げられる。すると、第３伝達部７３が、支点７３ａを中心に回動し、作用点７３ｃに加えられた力をテコの原理により第３伝達部７３の先端７３ｂに伝え、この先端７３ｂが、用水路３００から導水路（１１，１０１）に流れ込む水の勢いに抗して導水路（１１，１０１）を大きく開くので、用水路３００から水田２００に水が大量に引き込まれる。そして、図６（ａ）に示すように、水田２００の水が満水になると、フロート５が上がって、第３伝達部７３の作用点を引き上げるので開閉弁３が閉まり、水田２００への水の供給が停止される。
【００７１】
尚、図６（ｂ）（ｃ）に示すように、第３伝達部７３が開閉弁３を押すとき、開閉弁３のヒンジ部３１より下方側を押すので（図４参照）、開閉弁３は、ヒンジ部３０及びヒンジ部３１で折り曲げられ導水路（１１，１０１）を開く。このヒンジ部３１より先が折り曲げられていることにより、折り曲げないで開閉弁３を開いたときのように開閉弁３が振動して、導水路（１１，１０１）が頻繁に開閉されるということはない。
【００７２】
特に、図６（ｃ）に示すように、開閉弁３を大きく開いたときは、折り曲がった開閉弁３が弓形部７３ｄに沿って当接し、開閉弁３の折り曲がった形状を弓形部７３ｄが保持するので、開閉弁３を折り曲がったままに安定的に保持して導水路（１１，１０１）を安定的に開放することができる。
[  ４  水位自動調節装置１の効果  ]
本実施形態の水位自動調節装置１を用いると、下記のような効果がある。
【００７３】
この水位自動調節装置１では、開閉弁３が、用水路３００から水田２００に水を供給する給水方向とは逆方向に開く構成となっており、水田２００の水位が下がって第３伝達部７３に押されるとき以外は、開閉弁３が管部１１の段差β（図２（ａ）参照）に当接して、導水路（１１，１０１）を固く閉じるているので、大雨で用水路３００の水が増え、導水路（１１，１０１）に流れ込む水の勢いが増したときでも開閉弁３が開いて水が水田２００に引き込まれることを防止できる。
【００７４】
また、この水位自動調節装置１では、水田２００の水位が下がったときは、第３伝達部７３が水田２００の水位に合わせて下降するフロート５の動きをテコの原理により開閉弁３に伝えて開閉弁３を押して導水路（１１，１０１）を開いているので、フロート５が軽くても開閉弁３を給水方向と逆方向に押して導水路（１１，１０１）を開き、用水路３００から水田２００に水を引き込むことができる。
【００７５】
従って、本実施形態の水位自動調節装置１を用いると、大雨で用水路３００の水が増えた時でも水田２００に過剰に水が引き込まれることを防止でき、一方で、水田２００の水位が下がったときには、用水路３００から水田に自動的に水を引き込むことができる。
【００７６】
次に、本実施形態のフロート５は、フロート５の動きを伝達部７を介して開閉弁３に伝えたときに、予め想定される水勢で導水路（１１，１０１）を流れる水に抗して開閉弁３を開くことが可能な重量であり、かつ、水の比重よりも小さいものとしているので、水田２００に水を引き込むことが必要な場合、開閉弁３を確実に開いで水を引き込むことができる。
【００７７】
次に、本実施形態では、水田２００の満水位は季節や気候等によって変化するが、フロート５の位置を水田２００のそれら満水位に合わせる際、フロート５を適正な位置まで持ち上げ、その位置で第１伝達棒部７１を第２伝達棒部７２に対して留具７５で固定するだけで、フロート５の位置を水田２００の満水位に合わせて調整することができる。
【００７８】
また、本実施形態では、第１伝達棒部７１と第２伝達棒部７２との接続点が筐体１０の上方に位置するので、フロート５の位置は、畦２５０から第１伝達棒部７１を持ってフロート５を上下し、留具７５で第１伝達棒部７１と第２伝達棒部７２とを留めることで変更することができる。
【００７９】
また、本実施形態では、筐体１０に、開閉弁３やフロート５等を一体に的に組み付けたものを用いているので、導水管１０１が埋設された畦２５０の部分にこの水位自動調節装置１を一度に取り付けることができる。
（その他の実施形態）
上述した実施形態では、開閉弁３を筐体１０に一体に取り付けたものについて説明したが、開閉弁３と筐体１０とは別体に構成されていてもよい。
【００８０】
また、上述した実施形態では、第３伝達部７３を第１伝達棒部７１、第２伝達棒部７２を介してフロート５が上下する動きを開閉弁３に伝達する構造となっていたが、第１伝達棒部７１と第３伝達部７３とを直接連結する構造としてもよい。
（対応関係）
本発明のヒンジ部は、ヒンジ部３１に相当する。
【００８１】
本発明の第１伝達手段が第１伝達棒部７１に相当し、第２伝達手段が第２伝達棒部７２に相当し、第３伝達手段が第３伝達部７３に相当する。
【００８２】
本発明は、特許請求の範囲に記載された発明の趣旨に合致するものであればよく、上述の実施形態に限定されるものではない。
【符号の説明】
【００８３】
１…水位自動調節装置、３…開閉弁、５…フロート、７…伝達部、１０…筐体、１０ａ…背面、１０ｂ、１０ｃ…側面、１０ｄ…上部側面、１１…管部、１１ａ…嵌合部、１１ｂ…ストッパー部、１１ｃ…開閉弁可動部、１２…案内レール、１２ａ…案内溝、１３…組付具、１３ａ…第１取付部、１３ｂ…第２取付部、１３ｃ…挿通孔、１３ｄ…挿通孔、３０…ヒンジ部、３１…ヒンジ部（本発明のヒンジ部）、５０…回避部、５１…案内突起、７１…第１伝達棒部、７１ａ、７１ｂ…棒部、７２…第２伝達棒部、７３…第３伝達部、７３ａ…支点、７３ｂ…先端、７３ｃ…作用点、７３ｄ…弓形部、７５…留具、２００…水田、２５０…畦、２５０ａ…壁面、３００…用水路。
【図１】
2010178712.tif 000003
【図２】
2010178712.tif 000004
【図３】
2010178712.tif 000005
【図４】
2010178712.tif 000006
【図５】
2010178712.tif 000007
【図６】
2010178712.tif 000008
【図７】
2010178712.tif 000009